(57)【要約】【課題】より効率的に商品を販売するための販売スケジュールを作成する。【解決手段】商品を販売する販売者の販売スケジュールを作成するスケジュール作成装置３０であって、商品を販売するために要する販売活動を、商品の種類に対応付けて格納する商品データベース１０２と、商品を販売する販売者が決定された場合に、販売すべき商品の種類に対応付けて管理されている販売活動を商品データベース１０２から抽出し、販売者の既存スケジュールを取得し、取得した既存スケジュールと、抽出した販売活動とを用いて、販売すべき商品の種類を決定し、決定された種類の商品を販売するスケジュールを含む新たな販売スケジュールを作成するスケジュール作成部１００とを備える。【選択図】　図１
2004005266.tif 000002
【特許請求の範囲】
【請求項１】
商品を販売する販売者の販売スケジュールを作成するスケジュール作成装置であって、
前記商品を販売するために要する販売活動を、商品の種類に対応付けて格納する商品データベースと、
前記商品を販売する販売者が決定された場合に、販売すべき前記商品の種類に対応付けて管理されている販売活動を前記商品データベースから抽出し、前記販売者の既存スケジュールを取得し、取得した前記既存スケジュールと、抽出した前記販売活動とを用いて、販売可能な商品の種類を決定し、決定された前記種類の商品を販売するスケジュールを含む新たな販売スケジュールを作成するスケジュール作成部と
を備えることを特徴とするスケジュール作成装置。
【請求項２】
前記商品データベースは、前記商品を販売することによって発生する利益を前記商品の種類に対応付けてさらに格納し、
前記スケジュール作成部は、前記販売すべき商品の種類を複数決定した場合に、複数の前記商品の種類に対応付けて格納されている前記利益を用いて、販売すべき複数の種類の商品のそれぞれの個数を決定し、前記それぞれの個数と、取得した前記既存スケジュールと、抽出した前記販売活動とを用いて新たな販売スケジュールを作成することを特徴とする請求項１に記載のスケジュール作成装置。
【請求項３】
前記商品データベースは、前記商品の販売見込みを示す見込み度を前記商品の種類に対応付けてさらに格納し、
前記スケジュール作成部は、前記販売すべき商品の種類を複数決定した場合に、複数の前記商品の種類に対応付けて格納されている前記見込み度を用いて、販売すべき複数の種類の商品のそれぞれの個数を決定し、前記それぞれの個数と、取得した前記既存スケジュールと、抽出した前記販売活動とを用いて新たな販売スケジュールを作成することを特徴とする請求項１に記載のスケジュール作成装置。
【請求項４】
顧客に対して商品を販売すべき販売時期を、前記顧客に対応付けて格納する顧客データベースをさらに備え、
前記スケジュール作成部は、前記販売時期と前記既存スケジュールに基づいて前記商品を販売すべき顧客を決定することを特徴とする請求項１に記載のスケジュール作成装置。
【請求項５】
特定の顧客に対して販売すべき商品の種類を前記特定の顧客に対応付けて格納する顧客データベースをさらに備え、
前記スケジュール作成部は、販売すべき商品の種類が決定された場合に、前記商品の種類に対応付けて前記顧客データベースに格納されている前記顧客を抽出することで、前記商品を販売すべき顧客を決定することを特徴とする請求項１に記載のスケジュール作成装置。
【請求項６】
商品を販売する販売者を支援する商品販売支援装置であって、
前記販売者に対して過去に依頼したサービスの利用履歴を、前記顧客に対応付けて格納するサービス利用履歴データベースと、
前記顧客が過去に購入した商品の種類を前記顧客に対応付けて格納する購入商品データベースと、
前記サービスの利用履歴と、前記過去に購入した商品の種類に基づいて、前記顧客が新たに商品を購入する見込みの度合を示す見込み度を算出する見込み算出部と
を備えることを特徴とする商品販売支援装置。
【請求項７】
前記サービスの利用履歴をサービス利用履歴データベースから抽出し、抽出した前記サービス利用履歴に基づいて、前記顧客が販売者に対して過去に依頼したサービスの大きさを示す依頼度を算出する依頼度算出部をさらに備え、
前記見込み度算出部は、算出された前記依頼度と、前記過去に購入した商品の種類にに基づいて、前記顧客が新たに商品を購入する見込みの度合を示す見込み度を算出することを特徴とする請求項６に記載の商品販売支援装置。
【請求項８】
商品を販売する販売者を支援する商品販売支援装置であって、
販売者の有するスキルを販売者に対応付けて格納する販売者データベースと、
特定のスキルが不足している販売者を支援する販売手法を前記特定のスキルに対応付けて格納するスキルデータベースと、
販売すべき商品を販売する販売者に対応付けて格納されている前記スキルを抽出し、抽出した前記スキルに対応付けて前記スキルデータベースに格納されている前記販売手法を抽出し、前記販売者に推奨すべく出力する販売スキル処理部とを備えることを特徴とする商品販売支援装置。
【請求項９】
商品を販売する販売者を支援する商品販売支援装置であって、
販売者の有するスキルを販売者に対応付けて格納する販売者データベースと、
特定のスキルが不足している販売者を支援するツールを前記特定のスキルに対応付けて格納するスキルデータベースと、
販売すべき商品を販売する販売者に対応付けて格納されている前記スキルを抽出し、抽出した前記スキルに対応付けて前記スキルデータベースに格納されている前記ツールを抽出し、前記販売者に推奨すべく出力する販売スキル処理部と
を備えることを特徴とする商品販売支援装置。
【請求項１０】
商品を販売する販売者の販売スケジュールを作成するスケジュール作成方法であって、
前記商品を販売するために要する販売活動を、商品の種類に対応付けてコンピュータが管理する商品管理ステップと、
前記商品を販売する販売者が決定された場合に、販売すべき前記商品の種類に対応付けて管理されている販売活動を抽出し、前記販売者の既存スケジュールを取得し、取得した前記既存スケジュールと、抽出した前記販売活動とを用いて、販売すべき商品の種類を決定し、決定された前記種類の商品を販売するスケジュールを含む新たな販売スケジュールをコンピュータが作成するスケジュール作成ステップと
を備えることを特徴とするスケジュール作成方法。
【請求項１１】
前記商品管理ステップにおいて、前記商品を販売することによって発生する利益を前記商品の種類に対応付けてさらに管理し、
前記スケジュール作成ステップにおいて、前記販売すべき商品の種類を複数決定した場合に、複数の前記商品の種類に対応付けて格納されている前記利益を用いて、販売すべき複数の種類の商品のそれぞれの個数を決定し、前記それぞれの個数と、取得した前記既存スケジュールと、抽出した前記販売活動とを用いて新たな販売スケジュールを作成することを特徴とする請求項１０に記載のスケジュール作成方法。
【請求項１２】
前記商品管理ステップにおいて、前記商品の販売見込みを示す見込み度を前記商品の種類に対応付けてさらに管理し、
前記スケジュール作成ステップにおいて、前記販売すべき商品の種類を複数決定した場合に、複数の前記商品の種類に対応付けて格納されている前記見込み度を用いて、販売すべき複数の種類の商品のそれぞれの個数を決定し、前記それぞれの個数と、取得した前記既存スケジュールと、抽出した前記販売活動とを用いて新たな販売スケジュールを作成することを特徴とする請求項１０に記載のスケジュール作成方法。
【請求項１３】
顧客に対して商品を販売すべき販売時期を、前記顧客に対応付けてコンピュータが管理する顧客管理ステップをさらに備え、
前記スケジュール作成ステップにおいて、前記販売時期と前記既存スケジュールに基づいて前記商品を販売すべき顧客を決定することを特徴とする請求項１０に記載のスケジュール作成方法。
【請求項１４】
特定の顧客に対して販売すべき商品の種類を前記特定の顧客に対応付けて管理する顧客管理ステップをさらに備え、
前記スケジュール作成ステップにおいて、販売すべき商品の種類が決定された場合に、前記商品の種類に対応付けて管理されている前記顧客を抽出することで、前記商品を販売すべき顧客を決定することを特徴とする請求項１０に記載のスケジュール作成方法。
【請求項１５】
商品を販売する販売者を支援する商品販売支援方法であって、
コンピュータが、
前記販売者に対して過去に依頼したサービスの利用履歴を、前記顧客に対応付けて管理するサービス利用履歴管理ステップと、
前記顧客が過去に購入した商品の種類を前記顧客に対応付けてコンピュータが管理する購入商品管理ステップと、
前記サービスの利用履歴と、前記過去に購入した商品の種類に基づいて、前記顧客が新たに商品を購入する見込みの度合を示す見込み度を算出する見込み算出ステップと
を備えることを特徴とする商品販売支援方法。
【請求項１６】
前記サービスの利用履歴を抽出し、抽出した前記サービス利用履歴に基づいて、前記顧客が販売者に対して過去に依頼したサービスの大きさを示す依頼度を算出する依頼度算出ステップをさらに備え、
前記見込み度算出ステップにおいて、算出された前記依頼度と、前記過去に購入した商品の種類にに基づいて、前記顧客が新たに商品を購入する見込みの度合を示す見込み度を算出することを特徴とする請求項１５に記載の商品販売支援方法。
【請求項１７】
商品を販売する販売者を支援する商品販売支援方法であって、
販売者の有するスキルを販売者に対応付けて管理する販売者管理ステップと、特定のスキルが不足している販売者を支援する販売手法を前記特定のスキルに対応付けて管理するスキル管理ステップと、
販売すべき商品を販売する販売者に対応付けて管理されている前記スキルを抽出し、抽出した前記スキルに対応付けて管理されている前記販売手法を抽出し、前記販売者に推奨すべく出力する販売スキル処理ステップと
を備えることを特徴とする商品販売支援方法。
【請求項１８】
商品を販売する販売者を支援する商品販売支援方法であって、
販売者の有するスキルを販売者に対応付けて管理する販売者管理ステップと、特定のスキルが不足している販売者を支援するツールを前記特定のスキルに対応付けて管理するスキル管理ステップと、
販売すべき商品を販売する販売者に対応付けて格納されている前記スキルを抽出し、抽出した前記スキルに対応付けて格納されている前記ツールを抽出し、前記販売者に推奨すべく出力する販売スキル処理ステップと
を備えることを特徴とする商品販売支援方法。
【請求項１９】
商品を販売する販売者の販売スケジュールを作成するコンピュータ用のプログラムであって、
前記商品を販売するために要する販売活動を、商品の種類に対応付けて管理する商品管理機能と、
前記商品を販売する販売者が決定された場合に、販売すべき前記商品の種類に対応付けて管理されている販売活動を抽出し、前記販売者の既存スケジュールを取得し、取得した前記既存スケジュールと、抽出した前記販売活動とを用いて、販売すべき商品の種類を決定し、決定された前記種類の商品を販売するスケジュールを含む新たな販売スケジュールを作成するスケジュール作成機能と
を備えることを特徴とするプログラム。
【請求項２０】
前記商品管理機能は、前記商品を販売することによって発生する利益を前記商品の種類に対応付けてさらに管理し、
前記スケジュール作成機能において、前記販売すべき商品の種類を複数決定した場合に、複数の前記商品の種類に対応付けて格納されている前記利益を用いて、販売すべき複数の種類の商品のそれぞれの個数を決定し、前記それぞれの個数と、取得した前記既存スケジュールと、抽出した前記販売活動とを用いて新たな販売スケジュールを作成することを特徴とする請求項１９に記載のプログラム。
【請求項２１】
前記商品管理機能において、前記商品の販売見込みを示す見込み度を前記商品の種類に対応付けてさらに管理し、
前記スケジュール作成機能において、前記販売すべき商品の種類を複数決定した場合に、複数の前記商品の種類に対応付けて格納されている前記見込み度を用いて、販売すべき複数の種類の商品のそれぞれの個数を決定し、前記それぞれの個数と、取得した前記既存スケジュールと、抽出した前記販売活動とを用いて新たな販売スケジュールを作成することを特徴とする請求項１９に記載のプログラム。
【請求項２２】
顧客に対して商品を販売すべき販売時期を、前記顧客に対応付けて管理する顧客管理機能をさらに備え、
前記スケジュール作成機能において、前記販売時期と前記既存スケジュールに基づいて前記商品を販売すべき顧客を決定することを特徴とする請求項１９に記載のプログラム。
【請求項２３】
特定の顧客に対して販売すべき商品の種類を前記特定の顧客に対応付けて管理する顧客管理機能をさらに備え、
前記スケジュール作成機能において、販売すべき商品の種類が決定された場合に、前記商品の種類に対応付けて格納されている前記顧客を抽出することで、前記商品を販売すべき顧客を決定することを特徴とする請求項１９に記載のプログラム。
【請求項２４】
商品を販売する販売者を支援するコンピュータ用のプログラムであって、
前記販売者に対して過去に依頼したサービスの利用履歴を、前記顧客に対応付けて管理するサービス利用履歴管理機能と、
前記顧客が過去に購入した商品の種類を前記顧客に対応付けて管理する購入商品管理機能と、
前記サービスの利用履歴と、前記過去に購入した商品の種類に基づいて、前記顧客が新たに商品を購入する見込みの度合を示す見込み度を算出する見込み算出機能と
を備えることを特徴とするプログラム。
【請求項２５】
前記サービスの利用履歴を抽出し、抽出した前記サービス利用履歴に基づいて、前記顧客が販売者に対して過去に依頼したサービスの大きさを示す依頼度を算出する依頼度算出機能をさらに備え、
前記見込み度算出機能において、算出された前記依頼度と、前記過去に購入した商品の種類にに基づいて、前記顧客が新たに商品を購入する見込みの度合を示す見込み度を算出することを特徴とする請求項２４に記載のプログラム。
【請求項２６】
商品を販売する販売者を支援するコンピュータ用のプログラムであって、
販売者の有するスキルを販売者に対応付けて管理する販売者管理機能と、
特定のスキルが不足している販売者を支援する販売手法を前記特定のスキルに対応付けて管理するスキル管理機能と、
販売すべき商品を販売する販売者に対応付けて格納されている前記スキルを抽出し、抽出した前記スキルに対応付けて管理されている前記販売手法を抽出し、前記販売者に推奨すべく出力する販売スキル処理機能と
を備えることを特徴とするプログラム。
【請求項２７】
商品を販売する販売者を支援するコンピュータ用のプログラムであって、
販売者の有するスキルを販売者に対応付けて格納する販売者管理機能と、
特定のスキルが不足している販売者を支援するツールを前記特定のスキルに対応付けて格納するスキル管理機能と、
販売すべき商品を販売する販売者に対応付けて格納されている前記スキルを抽出し、抽出した前記スキルに対応付けて管理されている前記ツールを抽出し、前記販売者に推奨すべく出力する販売スキル処理機能と
を備えることを特徴とするプログラム。
【発明の詳細な説明】
【０００１】
【発明の属する技術分野】
本発明は、スケジュール作成装置、販売支援装置、スケジュール作成方法、販売支援方法、及びプログラムに関する。特に本発明は、商品を販売する販売者のスケジュールを作成することで販売者を支援するスケジュール作成装置、販売支援装置、スケジュール作成方法、販売支援方法、及びプログラムに関する。
【０００２】
【従来の技術】
商品を販売する販売者は、商品の販売に要する販売活動を自らの経験から設定し、設定した販売活動に基づいてスケジュールを作成していた。
【０００３】
【発明が解決しようとする課題】
しかしながら、経験の浅い販売者は、正しい販売活動を設定することが困難であるため、効率的な販売活動をすることができない場合があった。また販売者は、スケジュールを作成するために時間を要していた。
【０００４】
そこで本発明は、上記の課題を解決することのできるスケジュール作成装置、販売支援装置、スケジュール作成方法、販売支援方法、及びプログラムを提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、商品を販売する販売者の販売スケジュールを作成するスケジュール作成装置であって、商品を販売するために要する販売活動を、商品の種類に対応付けて格納する商品データベースと、商品を販売する販売者が決定された場合に、販売すべき商品の種類に対応付けて管理されている販売活動を商品データベースから抽出し、販売者の既存スケジュールを取得し、取得した既存スケジュールと、抽出した販売活動とを用いて、販売すべき商品の種類を決定し、決定された種類の商品を販売するスケジュールを含む新たな販売スケジュールを作成するスケジュール作成部とを備える。
【０００６】
商品データベースは、商品を販売することによって発生する利益を商品の種類に対応付けてさらに格納し、スケジュール作成部は、販売すべき商品の種類を複数決定した場合に、複数の商品の種類に対応付けて格納されている利益を用いて、販売すべき複数の種類の商品のそれぞれの個数を決定し、それぞれの個数と、取得した既存スケジュールと、抽出した販売活動とを用いて新たな販売スケジュールを作成してもよい。
【０００７】
商品データベースは、商品の販売見込みを示す見込み度を商品の種類に対応付けてさらに格納し、スケジュール作成部は、販売すべき商品の種類を複数決定した場合に、複数の商品の種類に対応付けて格納されている見込み度を用いて、販売すべき複数の種類の商品のそれぞれの個数を決定し、それぞれの個数と、取得した既存スケジュールと、抽出した販売活動とを用いて新たな販売スケジュールを作成してもよい。
【０００８】
顧客に対して商品を販売すべき販売時期を、顧客に対応付けて格納する顧客データベースをさらに備え、スケジュール作成部は、販売時期と既存スケジュールに基づいて商品を販売すべき顧客を決定してもよい。
【０００９】
特定の顧客に対して販売すべき商品の種類を特定の顧客に対応付けて格納する顧客データベースをさらに備え、スケジュール作成部は、販売すべき商品の種類が決定された場合に、商品の種類に対応付けて顧客データベースに格納されている顧客を抽出することで、商品を販売すべき顧客を決定してもよい。
【００１０】
本発明の第２の形態によると、商品を販売する販売者を支援する商品販売支援装置であって、販売者に対して過去に依頼したサービスの利用履歴を、顧客に対応付けて格納するサービス利用履歴データベースと、顧客が過去に購入した商品の種類を顧客に対応付けて格納する購入商品データベースと、サービスの利用履歴と、過去に購入した商品の種類に基づいて、顧客が新たに商品を購入する見込みの度合を示す見込み度を算出する見込み算出部とを備える。
【００１１】
サービスの利用履歴をサービス利用履歴データベースから抽出し、抽出したサービス利用履歴に基づいて、顧客が販売者に対して過去に依頼したサービスの大きさを示す依頼度を算出する依頼度算出部をさらに備え、見込み度算出部は、算出された依頼度と、過去に購入した商品の種類にに基づいて、顧客が新たに商品を購入する見込みの度合を示す見込み度を算出してもよい。
【００１２】
本発明の第３の形態によると、商品を販売する販売者を支援する商品販売支援装置であって、販売者の有するスキルを販売者に対応付けて格納する販売者データベースと、特定のスキルが不足している販売者を支援する販売手法を特定のスキルに対応付けて格納するスキルデータベースと、販売すべき商品を販売する販売者に対応付けて格納されているスキルを抽出し、抽出したスキルに対応付けてスキルデータベースに格納されている販売手法を抽出し、販売者に推奨すべく出力する販売スキル処理部とを備える。
【００１３】
本発明の第４の形態によると、商品を販売する販売者を支援する商品販売支援装置であって、販売者の有するスキルを販売者に対応付けて格納する販売者データベースと、特定のスキルが不足している販売者を支援するツールを特定のスキルに対応付けて格納するスキルデータベースと、販売すべき商品を販売する販売者に対応付けて格納されているスキルを抽出し、抽出したスキルに対応付けてスキルデータベースに格納されているツールを抽出し、販売者に推奨すべく出力する販売スキル処理部とを備える。
【００１４】
本発明の第５の形態によると、商品を販売する販売者の販売スケジュールを作成するスケジュール作成方法であって、商品を販売するために要する販売活動を、商品の種類に対応付けてコンピュータが管理する商品管理ステップと、商品を販売する販売者が決定された場合に、販売すべき商品の種類に対応付けて管理されている販売活動を抽出し、販売者の既存スケジュールを取得し、取得した既存スケジュールと、抽出した販売活動とを用いて、販売すべき商品の種類を決定し、決定された種類の商品を販売するスケジュールを含む新たな販売スケジュールをコンピュータが作成するスケジュール作成ステップとを備える。
【００１５】
商品管理ステップにおいて、商品を販売することによって発生する利益を商品の種類に対応付けてさらに管理し、スケジュール作成ステップにおいて、販売すべき商品の種類を複数決定した場合に、複数の商品の種類に対応付けて格納されている利益を用いて、販売すべき複数の種類の商品のそれぞれの個数を決定し、それぞれの個数と、取得した既存スケジュールと、抽出した販売活動とを用いて新たな販売スケジュールを作成してもよい。
【００１６】
商品管理ステップにおいて、商品の販売見込みを示す見込み度を商品の種類に対応付けてさらに管理し、スケジュール作成ステップにおいて、販売すべき商品の種類を複数決定した場合に、複数の商品の種類に対応付けて格納されている見込み度を用いて、販売すべき複数の種類の商品のそれぞれの個数を決定し、それぞれの個数と、取得した既存スケジュールと、抽出した販売活動とを用いて新たな販売スケジュールを作成してもよい。
【００１７】
顧客に対して商品を販売すべき販売時期を、顧客に対応付けてコンピュータが管理する顧客管理ステップをさらに備え、スケジュール作成ステップにおいて、販売時期と既存スケジュールに基づいて商品を販売すべき顧客を決定してもよい。
【００１８】
特定の顧客に対して販売すべき商品の種類を特定の顧客に対応付けて管理する顧客管理ステップをさらに備え、スケジュール作成ステップにおいて、販売すべき商品の種類が決定された場合に、商品の種類に対応付けて管理されている顧客を抽出することで、商品を販売すべき顧客を決定してもよい。
【００１９】
本発明の第６の形態によると、商品を販売する販売者を支援する商品販売支援方法であって、コンピュータが、販売者に対して過去に依頼したサービスの利用履歴を、顧客に対応付けて管理するサービス利用履歴管理ステップと、顧客が過去に購入した商品の種類を顧客に対応付けてコンピュータが管理する購入商品管理ステップと、サービスの利用履歴と、過去に購入した商品の種類に基づいて、顧客が新たに商品を購入する見込みの度合を示す見込み度を算出する見込み算出ステップとを備える。
【００２０】
サービスの利用履歴を抽出し、抽出したサービス利用履歴に基づいて、顧客が販売者に対して過去に依頼したサービスの大きさを示す依頼度を算出する依頼度算出ステップをさらに備え、見込み度算出ステップにおいて、算出された依頼度と、過去に購入した商品の種類にに基づいて、顧客が新たに商品を購入する見込みの度合を示す見込み度を算出してもよい。
【００２１】
本発明の第７の形態によると、商品を販売する販売者を支援する商品販売支援方法であって、販売者の有するスキルを販売者に対応付けて管理する販売者管理ステップと、特定のスキルが不足している販売者を支援する販売手法を特定のスキルに対応付けて管理するスキル管理ステップと、販売すべき商品を販売する販売者に対応付けて管理されているスキルを抽出し、抽出したスキルに対応付けて管理されている販売手法を抽出し、販売者に推奨すべく出力する販売スキル処理ステップとを備える。
【００２２】
本発明の第８の形態によると、商品を販売する販売者を支援する商品販売支援方法であって、販売者の有するスキルを販売者に対応付けて管理する販売者管理ステップと、特定のスキルが不足している販売者を支援するツールを特定のスキルに対応付けて管理するスキル管理ステップと、販売すべき商品を販売する販売者に対応付けて格納されているスキルを抽出し、抽出したスキルに対応付けて格納されているツールを抽出し、販売者に推奨すべく出力する販売スキル処理ステップとを備える。
【００２３】
本発明の第９の形態によると、商品を販売する販売者の販売スケジュールを作成するコンピュータ用のプログラムであって、商品を販売するために要する販売活動を、商品の種類に対応付けて管理する商品管理機能と、商品を販売する販売者が決定された場合に、販売すべき商品の種類に対応付けて管理されている販売活動を抽出し、販売者の既存スケジュールを取得し、取得した既存スケジュールと、抽出した販売活動とを用いて、販売すべき商品の種類を決定し、決定された種類の商品を販売するスケジュールを含む新たな販売スケジュールを作成するスケジュール作成機能とを備える。
【００２４】
商品管理機能は、商品を販売することによって発生する利益を商品の種類に対応付けてさらに管理し、スケジュール作成機能において、販売すべき商品の種類を複数決定した場合に、複数の商品の種類に対応付けて格納されている利益を用いて、販売すべき複数の種類の商品のそれぞれの個数を決定し、それぞれの個数と、取得した既存スケジュールと、抽出した販売活動とを用いて新たな販売スケジュールを作成してもよい。
【００２５】
商品管理機能において、商品の販売見込みを示す見込み度を商品の種類に対応付けてさらに管理し、スケジュール作成機能において、販売すべき商品の種類を複数決定した場合に、複数の商品の種類に対応付けて格納されている見込み度を用いて、販売すべき複数の種類の商品のそれぞれの個数を決定し、それぞれの個数と、取得した既存スケジュールと、抽出した販売活動とを用いて新たな販売スケジュールを作成してもよい。
【００２６】
顧客に対して商品を販売すべき販売時期を、顧客に対応付けて管理する顧客管理機能をさらに備え、スケジュール作成機能において、販売時期と既存スケジュールに基づいて商品を販売すべき顧客を決定してもよい。
【００２７】
特定の顧客に対して販売すべき商品の種類を特定の顧客に対応付けて管理する顧客管理機能をさらに備え、スケジュール作成機能において、販売すべき商品の種類が決定された場合に、商品の種類に対応付けて格納されている顧客を抽出することで、商品を販売すべき顧客を決定してもよい。
【００２８】
本発明の第１０の形態によると、商品を販売する販売者を支援するコンピュータ用のプログラムであって、販売者に対して過去に依頼したサービスの利用履歴を、顧客に対応付けて管理するサービス利用履歴管理機能と、顧客が過去に購入した商品の種類を顧客に対応付けて管理する購入商品管理機能と、サービスの利用履歴と、過去に購入した商品の種類に基づいて、顧客が新たに商品を購入する見込みの度合を示す見込み度を算出する見込み算出機能とを備える。
【００２９】
サービスの利用履歴を抽出し、抽出したサービス利用履歴に基づいて、顧客が販売者に対して過去に依頼したサービスの大きさを示す依頼度を算出する依頼度算出機能をさらに備え、見込み度算出機能において、算出された依頼度と、過去に購入した商品の種類にに基づいて、顧客が新たに商品を購入する見込みの度合を示す見込み度を算出してもよい。
【００３０】
本発明の第１１の形態によると、商品を販売する販売者を支援するコンピュータ用のプログラムであって、販売者の有するスキルを販売者に対応付けて管理する販売者管理機能と、特定のスキルが不足している販売者を支援する販売手法を特定のスキルに対応付けて管理するスキル管理機能と、販売すべき商品を販売する販売者に対応付けて格納されているスキルを抽出し、抽出したスキルに対応付けて管理されている販売手法を抽出し、販売者に推奨すべく出力する販売スキル処理機能とを備える。
【００３１】
本発明の第１２の形態によると、商品を販売する販売者を支援するコンピュータ用のプログラムであって、販売者の有するスキルを販売者に対応付けて格納する販売者管理機能と、特定のスキルが不足している販売者を支援するツールを特定のスキルに対応付けて格納するスキル管理機能と、販売すべき商品を販売する販売者に対応付けて格納されているスキルを抽出し、抽出したスキルに対応付けて管理されているツールを抽出し、販売者に推奨すべく出力する販売スキル処理機能とを備える。
【００３２】
なお上記の発明の概要は、本発明の必要な特徴の全てを列挙したものではなく、これらの特徴群のサブコンビネーションも又発明となりうる。
【００３３】
【発明の実施の形態】
以下、発明の実施の形態を通じて本発明を説明するが、以下の実施形態は特許請求の範囲にかかる発明を限定するものではなく、又実施の形態の中で説明されている特徴の組み合わせの全てが発明の解決手段に必須であるとは限らない。
【００３４】
図１は、本実施の形態に係る商品販売支援装置１０の機能構成を示すブロック図である。商品販売支援装置１０は、販売者毎に既存スケジュールを抽出し、抽出した既存スケジュール中の空き日時に販売すべき商品と販売すべき顧客を決定し、販売者の販売スケジュールを作成する。本実施の形態では、商品の一例として自動車保険を用いて説明する。また本実施の形態に係る「保有保険データベース」は、本発明に係る「購入商品データベース」の一例である。
【００３５】
商品販売支援装置１０は、販売者の保険販売スケジュールを作成するスケジュール作成装置３０を備える。スケジュール作成装置３０は、保険の販売に要する販売活動と、保険を販売することによって発生する利益とを格納する商品データベース１０２と、顧客に販売すべき保険の種類と、顧客に販売可能な販売時期と、顧客への販売見込みを示す見込み度を格納する顧客データベース１０６と、販売者の既存スケジュールを格納するスケジュールデータベース１０８とを有する。
【００３６】
また商品販売支援装置１０は、顧客が既に保有している保有保険に関する情報を格納する保有保険データベース１１２と、顧客が利用したサービスの利用単価と利用日を格納するサービス利用履歴データベース１１６とを備える。
【００３７】
さらに商品販売支援装置１０は、サービス利用履歴データベース１１６に格納されている利用単価と利用頻度とに基づいて、販売者に対して顧客が過去に依頼したサービスの大きさを示す依頼度を算出する依頼度算出部１１４と、算出された依頼度と、保有保険データベース１１２に格納されている保有保険に関する情報とに基づいて、顧客が保険に加入する見込みの度合を示す見込み度を算出して顧客データベース１０６に格納する見込み算出部１１０とを備える。
【００３８】
さらに商品販売支援装置１０のスケジュール作成装置３０は、外部から販売者の入力を受け付け、スケジュールデータベース１０８に格納されている販売者の既存スケジュールと、商品データベース１０２に格納されている情報と、顧客データベース１０６に格納されている情報とに基づいて、新たに販売者の販売スケジュールを作成するスケジュール作成部１００を備える。
【００３９】
さらに商品販売支援装置１０は、販売者が有するスキルを格納する販売者データベース１２２と、特定のスキルを補う販売手法とツールを格納するスキルデータベース１２４と、販売スキル処理部１２０とを備える。販売スキル処理部１２０は、商品を販売するために必要なスキルである必須スキルの入力を外部から受け付け、販売者データベース１２２を検索して販売者が必須スキルを有しない場合に、不足している必須スキルを補う販売手法及びツールをスキルデータベース１２４から抽出する。
【００４０】
またスケジュール作成部１００は作成した販売スケジュールを、見込み算出部１１０は算出した見込み度を、販売スキル処理部１２０は抽出した販売手法及びツールを表示する。
【００４１】
以上の構成により、商品販売支援装置１０は、入力された担当者の販売スケジュールを作成し、作成した販売スケジュールと担当者が有しないスキルを補うツール及び販売手法とをユーザに提示することができる。
【００４２】
記録媒体２０は、スケジュール作成部１００、見込み算出部１１０、及び販売スキル処理部１２０の動作を行わせるプログラムを格納する。他の方法としては、商品販売支援装置１０は、そのようなプログラムを、通信回線を介して取得してもよい。
【００４３】
図２は、商品データベース１０２のデータフォーマットの一例を示す。商品データベース１０２は、保険の販売に要する販売活動及び保険を販売することで発生する利益を示す情報を保険の種類に対応付けて格納する。販売活動とは、販売者が顧客に対して保険の営業１回にかける時間、営業する間隔、販売するまでに要する営業回数を含む。商品データベース１０２によると、例えば販売者は、３月間隔で０．８時間の営業を４回行うことで保険Ａを顧客に販売することができると想定される。
【００４４】
これにより商品販売支援装置１０は、販売活動及び利益に基づいて販売スケジュールを作成することができる。
【００４５】
図３は、顧客データベース１０６のデータフォーマットの一例を示す。顧客データベース１０６は、顧客に販売すべき商品の種類、即ち保険の種類と、顧客に保険を販売すべき販売時期と、顧客が保険を購入する見込みの度合を示す見込み度を顧客に対応付けて格納する。
【００４６】
顧客データベース１０６によると、顧客「スズキヒロシ」に販売すべき商品の種類は、「保険Ａ」であり、販売すべき販売時期は、「３月〜５月」である。また顧客「スズキヒロシ」が「保険Ａ」を購入する見込みの度合は「０．２」である。
【００４７】
これにより商品販売支援装置１０は、商品を販売すべき顧客と、販売時期と、見込み度とに基づいて、販売スケジュールを作成することができる。
【００４８】
図４は、スケジュールデータベース１０８のデータフォーマットの一例を示す。スケジュールデータベース１０８は、既存スケジュールを示すテーブルを販売者毎に格納する。
【００４９】
このようにスケジュールデータベース１０８が既存スケジュールを格納することにより、商品販売支援装置１０は、販売者の空き予定を抽出することができる。
【００５０】
図５は、サービス利用履歴データベース１１６のデータフォーマットの一例を示す。サービス利用履歴データベース１１６は、顧客が利用したサービスの種類、サービスの利用単価、及び利用日を顧客に対応付けて格納する。本実施の形態においてサービスとは、保険以外の商品の購入や保険に関する情報の提供等の無料サービスなどのような、過去に顧客が販売者に依頼したサービスを含む。
【００５１】
これにより商品販売支援装置１０は、顧客が利用したサービスの種類、サービスの利用単価、及び利用日に基づいて、顧客が販売者に依頼したサービスの大きさを算出することができる。
【００５２】
図６は、販売者データベース１２２のデータフォーマットの一例を示す。販売者データベース１２２は、販売者が有するスキルを販売者に対応付けて格納する。また販売者が複数のスキルを有する場合には、複数のスキルを一の販売者に対応付けて格納する。スキルとは、例えば特定の資格、販売経験の期間、学歴、経歴、販売者の性格、販売者が有する技術や技能等を示し、「資格１」、「資格２」・・のようにスキルの種類または「販売年数１年」のようにスキルの程度を用いて表す。
【００５３】
これにより商品販売支援装置１０は、販売者が有するスキルを抽出することができる。
【００５４】
図７は、スキルデータベース１２４のデータフォーマットの一例を示す。スキルデータベース１２４は、特定のスキルが不足している販売者を支援するツールと、特定のスキルが不足している販売者が用いるべき販売手法とを不足する特定のスキルに対応付けて格納する。
【００５５】
ツールとは、例えば保険を販売するときに使用すべきアプリケーションソフトや説明資料等であり、販売者は、ツールを使用することにより不足しているスキルを補うことができる。販売手法とは、例えば保険を販売するときに用いる顧客との連絡手段や、保険販売するためのマニュアルの種類を示す情報である。
【００５６】
これにより商品販売支援装置１０は、特定のスキルが不足している販売者を支援するツール及び販売手法を抽出することができる。
【００５７】
図８は、商品販売支援装置１０の動作を示すフローチャートである。依頼度算出部１１４は、サービス利用履歴データベース１１６から各顧客が過去に利用したサービスの利用単価及び利用日を定期的に抽出する（Ｓ１００）。
【００５８】
次に依頼度算出部１１４は、抽出したサービスの利用単価及び利用日を用いて、販売者に対して顧客が過去に依頼したサービスの大きさを示す依頼度を算出する。例えば依頼度算出部１１４は、サービスの利用日を用いてサービスの利用頻度を算出し、算出した利用頻度が高いほど依頼度を高くする。またサービスの利用単価が高いほど、依頼度を高くする（Ｓ１０２）。
【００５９】
次に見込み算出部１１０は、依頼度算出部１１４が算出した依頼度と、保有保険データベース１１２に格納されている保有保険に関する情報とに基づいて、顧客が保険に加入する見込みの度合を示す見込み度を算出する。ここで保有保険に関する情報とは、顧客が既に加入している保険の種類及び内容、過去の事故歴、保険加入歴、加入代理店、保険料支払い履歴、家族保険加入状況、年齢、職業、免許の色等を含む。例えば依頼度算出部１１４は、依頼度が高く、既に加入している保険の数が多く、事故歴がある場合には、見込み度を高く設定する。また依頼度が高い場合においても、既に加入している保険が無い場合には、見込み度を低く設定する（Ｓ１０４）。次に見込み算出部１１０は、算出した見込み度を対応する顧客に対応付けて顧客データベース１０６に書き込む（Ｓ１０６）。
【００６０】
このように見込み算出部１１０は、顧客が保険に加入する見込みの度合を示す見込み度を算出し、顧客データベース１０６に書き込むことができる。従って商品販売支援装置１０は、見込み度に基づいて販売スケジュールを作成することができる。
【００６１】
次にスケジュール作成部１００は、外部から販売者の入力を受け付けた場合に（Ｓ１０７）、入力された販売者に対応付けてスケジュールデータベース１０８に格納されている既存スケジュールを参照し、空き予定を抽出する。次にスケジュール作成部１００は、抽出した空き予定に、商品データベース１０２に格納されている販売活動を順次当てはめることで、空き予定に販売者が販売可能な商品の種類を選択する。次にスケジュール作成部１００は、選択した商品の種類に対応付けられ、かつ空き予定の日時を含む販売時期に対応付けられて格納されている顧客を顧客データベース１０６から抽出する（Ｓ１０８）。
【００６２】
次にスケジュール作成部１００は、選択した商品に対応付けて格納されている利益を商品データベース１０２から抽出し、抽出した顧客に対応付けて格納されている見込み度を顧客データベース１０６から抽出する。次にスケジュール作成部１００は、抽出した利益及び見込み度を用いて、最も売上が高くなると想定される商品の組合せ、販売個数、及び顧客を選択する。例えばスケジュール作成部１００は、Σ（利益×見込み度）が最大値をとる商品の組合せ、販売個数、及び顧客を選択する（Ｓ１１０）。
【００６３】
次にスケジュール作成部１００は、選択した商品の組合せ、販売個数、及び顧客に基づいて、既存スケジュールの空き予定に販売すべき保険と顧客を挿入することで販売スケジュールを作成し、ユーザが閲覧可能に表示する（Ｓ１１２）。
【００６４】
これにより商品販売支援装置１０は、保険を販売することで発生する利益と、顧客が保険に加入する見込み度に基づいて販売すべき保険と顧客を決定するので、効率的に売上高を高める販売スケジュールを作成することができる。
【００６５】
販売スキル処理部１２０は、販売者及び必須スキルの入力を外部から受け付けると、販売者に対応付けて格納されているスキルを販売者データベース１２２から抽出し、入力された必須スキルのうち、抽出したスキルに含まれない必須スキルを、販売者に不足している不足スキルであると決定する（Ｓ１１４）。
【００６６】
次に販売スキル処理部１２０は、決定した不足スキルに対応付けて格納されている販売手法及びツールをスキルデータベース１２４から抽出して表示する（Ｓ１１６）。
【００６７】
これにより販売スキル処理部１２０は、特定のスキルが不足している販売者に適した販売手法及びツールを提示することができる。
【００６８】
また本実施の形態では、必須スキルを外部から入力しているが、他の例としては、顧客または保険の種類に対応付けて必須スキルを格納したデータベースを有し、販売すべき顧客または保険の種類に対応する必須スキルをデータベースから抽出してもよい。
【００６９】
また商品販売支援装置１０は、作成した販売スケジュール通りに販売者が顧客に保険の販売活動を行った場合に、販売したか否かを示す販売情報をさらに取得し、取得した販売情報に基づいて、スキルデータベース１２４に格納されている販売手法及びツールや顧客データベース１０６に格納されている見込み度を更新してもよい。これにより商品販売支援装置１０は、より信頼性の高いデータを格納するので、より効率的に保険を販売することのできる販売スケジュールを作成することができる。
【００７０】
なお記録媒体２０は、上記に説明したＳ１００からＳ１１６の動作を商品販売支援装置１０に行わせるプログラムを格納してもよい。この場合、商品販売支援装置１０は、記録媒体２０からこのプログラムを読み取って実行する。
【００７１】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００７２】
【発明の効果】
上記説明から明らかなように、本発明によれば販売者は効率的に商品を販売することができる。
【図面の簡単な説明】
【図１】商品販売支援装置１０の機能構成を示すブロック図である。
【図２】商品データベース１０２のデータフォーマットの一例を示す図である。
【図３】顧客データベース１０６のデータフォーマットの一例を示す図である。
【図４】スケジュールデータベース１０８のデータフォーマットの一例を示す図である。
【図５】サービス利用履歴データベース１１６のデータフォーマットの一例を示す図である。
【図６】販売者データベース１２２のデータフォーマットの一例を示す図である。
【図７】スキルデータベース１２４のデータフォーマットの一例を示す図である。
【図８】商品販売支援装置１０の動作を示すフローチャートである。
【符号の説明】
１０　商品販売支援装置
２０　記録媒体
３０　スケジュール作成装置
１００　スケジュール作成部
１０２　商品データベース
１０６　顧客データベース
１０８　スケジュールデータベース
１１０　見込み算出部
１１２　保有保険データベース
１１４　依頼度算出部
１１６　サービス利用履歴データベース
１２０　販売スキル処理部
１２２　販売者データベース
１２４　スキルデータベース
【図１】
2004005266.tif 000003
【図２】
2004005266.tif 000004
【図３】
2004005266.tif 000005
【図４】
2004005266.tif 000006
【図５】
2004005266.tif 000007
【図６】
2004005266.tif 000008
【図７】
2004005266.tif 000009
【図８】
2004005266.tif 000010